(57)【要約】【課題】複数の光源を順次点滅させて人を誘導するシステムとして、設置できる光源の数にほとんど制約がないシステムを提供する。【解決手段】４台のＬＥＤ照明器具１ｅ〜ｈのそれぞれに、ＬＥＤ２〜１３が直線状に配列されている。ＬＥＤ照明器具１ｅ〜ｈは、ＬＥＤ照明器具１ｈ→ＬＥＤ照明器具１ｇ→ＬＥＤ照明器具１ｅ→ＬＥＤ照明器具１ｆの順番に配置されている。制御装置は、この順番にＬＥＤ照明器具１ｅ〜ｈを点灯及び消灯させる。上記制御装置は、ＬＥＤ照明器具１ｅ〜ｈのそれぞれを点灯させる場合、点灯させるＬＥＤ照明器具に配列されたＬＥＤ２〜１３を、直前に点灯させたＬＥＤ照明器具に近い順に４個ずつ点灯させる。【選択図】図４
2011258491.tif 000002
【特許請求の範囲】
【請求項１】
光を発する複数の発光素子が配列された複数の照明器具であって、所定の順番に配置された複数の照明器具と、
前記複数の照明器具を前記所定の順番に点灯及び消灯させる制御装置であって、前記複数の照明器具のそれぞれを点灯させる場合、点灯させる照明器具に配列された複数の発光素子を、直前に点灯させた照明器具に近い順に所定の数ずつ点灯させる制御装置と、
を備えることを特徴とする照明システム。
【請求項２】
前記制御装置が、前記複数の照明器具のうち、前記所定の順番で１番目の照明器具に対し、当該１番目の照明器具に配列された複数の発光素子を、前記所定の順番で２番目の照明器具から遠い順に前記所定の数ずつ点灯及び消灯させるように指令する制御信号を送信し、
前記複数の照明器具が、前記制御信号を受信した場合、それぞれの照明器具に配列された複数の発光素子を、直前に点灯した照明器具に近い順に前記所定の数ずつ点灯及び消灯させた後、前記所定の順番で次の照明器具に対し、前記制御信号を送信する、請求項１の照明システム。
【請求項３】
前記所定の順番で最後の照明器具が、前記制御信号を受信した場合、当該最後の照明器具に配列された複数の発光素子を、直前に点灯した照明器具に近い順に前記所定の数ずつ点灯及び消灯させた後、前記所定の順番で１番目の照明器具に対し、前記制御信号を送信する、請求項２の照明システム。
【請求項４】
前記複数の照明器具が前記所定の数の発光素子を点灯させてから消灯させるまでの時間が、前記複数の照明器具が前記所定の数の発光素子を点灯させてから隣の前記所定の数の発光素子を点灯させるまでの時間より長い、請求項１から３いずれかの照明システム。
【請求項５】
前記複数の照明器具が前記所定の数の発光素子を点灯させてから消灯させるまでの時間が、前記複数の照明器具が前記所定の数の発光素子を点灯させてから隣の前記所定の数の発光素子を点灯させるまでの時間の整数倍である、請求項４の照明システム。
【請求項６】
前記制御装置が、前記複数の照明器具のうち、一部の照明器具を点灯及び消灯させる場合、点灯及び消灯させる照明器具に配列された複数の発光素子を、前記所定の数ずつ点灯及び消灯させる代わりに、一度に点灯及び消灯させる、請求項１から５いずれかの照明システム。
【請求項７】
前記複数の照明器具が、それぞれの照明器具に配列された複数の発光素子に電力を供給する蓄電池を有する、請求項１から６いずれかの照明システム。
【請求項８】
前記複数の照明器具が、それぞれの照明器具に配列された複数の発光素子として、複数のＬＥＤ又はＥＬを有する、請求項１から７いずれかの照明システム。
【発明の詳細な説明】
【技術分野】
【０００１】
本発明は、照明システムに関するものである。本発明は、特に、ＬＥＤ照明器具を用いた照明システムに関するものである。
【背景技術】
【０００２】
従来の施設、建築物等には、火災・地震等の災害が発生したとき、それらの施設、建築物等の中に滞在する人を安全に屋外へ避難誘導するための設備として、消防法に基づく誘導灯がある。誘導灯は施設、建築物等の避難経路ならびに最終避難口に設置し、緑色の灯火により避難口のある場所又は避難の方向を避難者に知らせるものである。しかし、これらの表示は固定的なものであり刻々と変化する火災の状況に応じた避難方向の指示表示が求められていた。また、誘導灯の表示面は火災による煙が発生すると視認を妨げられ、少し離れると避難者が避難の方向を見失うおそれがあった。そのため、通路の床面あるいは壁面下部に連続的に灯具（光源）を配列して逐次点灯を行い、あたかも光が走行しているように視認させて、その光の進む方向に沿って避難すれば避難口に至ることができる光走行式の避難誘導装置（光走行式避難誘導システム）と呼ばれるものがある（例えば、特許文献１参照）。
【０００３】
また、ＬＥＤ照明はＬＥＤの発光効率の向上により、蛍光灯に代わる光源として注目されており、ＬＥＤを用いた照明器具も急速に市場を広げている。ＬＥＤ照明器具には、基板の長手方向に沿ってライン状に複数個のＬＥＤチップが実装されたものがある（例えば、特許文献２参照）。
【先行技術文献】
【特許文献】
【０００４】
【特許文献１】特開平１０−３２６３８３号公報
【特許文献２】特開２００２−２９９６９７号公報
【発明の概要】
【発明が解決しようとする課題】
【０００５】
従来の光走行式の避難誘導装置は、実用性が低く、高価なものであり、設置が義務づけられているものでないため、実際に設置されることが少ないという課題があった。また、設置されるとしても、灯具１つあたりのサイズやコストが大きいため、非常時の避難路に沿って設置できる灯具の数に制約があり、非常時において視認性の高い避難誘導装置を提供することが難しいという課題があった。また、従来の光走行式の避難誘導装置はシステムとして設置しないと効果がないため、複雑な配線やアドレス設定等が必要であるという課題があった。
【０００６】
本発明は、例えば、複数の光源を順次点滅させて人を誘導するシステムとして、設置できる光源の数にほとんど制約がないシステムを提供することを目的とする。
【課題を解決するための手段】
【０００７】
本発明の一の態様に係る照明システムは、
光を発する複数の発光素子が配列された複数の照明器具であって、所定の順番に配置された複数の照明器具と、
前記複数の照明器具を前記所定の順番に繰り返し点灯及び消灯させる制御装置であって、前記複数の照明器具のそれぞれを点灯させる場合、点灯させる照明器具に配列された複数の発光素子を、直前に点灯させた照明器具に近い順に所定の数ずつ点灯させる制御装置と、
を備えることを特徴とする。
【発明の効果】
【０００８】
本発明の一の態様では、照明器具を設置する場所や用途等に合わせて、照明器具の数を増やしたり、発光素子の数を増やしたりすることで、自由に光源の数を増やすことができるため、視認性の高い照明システムを提供することができる。
【図面の簡単な説明】
【０００９】
【図１】（ａ）実施の形態１に係るＬＥＤ照明器具の斜視図、（ｂ），（ｃ）実施の形態１の変形例に係るＬＥＤ照明器具の斜視図、（ｄ）実施の形態１の変形例に係る有機ＥＬ照明器具の斜視図。
【図２】（ａ）実施の形態１に係るＬＥＤ照明器具のＬＥＤ点灯パターン図、（ｂ），（ｃ）実施の形態１の変形例に係るＬＥＤ照明器具のＬＥＤ点灯パターン図。
【図３】（ａ）実施の形態１に係るＬＥＤ照明器具の設置例を示す図、（ｂ）実施の形態１の変形例に係るＬＥＤ照明器具の設置例を示す図。
【図４】図３（ａ）の例に係るＬＥＤ照明器具のＬＥＤ点灯パターン図。
【図５】（ａ）実施の形態１に係るＬＥＤ照明器具の構成を示す図、（ｂ）実施の形態２に係るＬＥＤ照明器具の構成を示す図。
【図６】（ａ）実施の形態１に係る光走行式避難誘導システムの構成を示すブロック図、（ｂ）実施の形態１の変形例に係る光走行式避難誘導システムの構成を示すブロック図。
【図７】実施の形態１に係るＬＥＤ照明器具のＬＥＤ電源回路の構成を示すブロック図。
【図８】実施の形態１に係るＬＥＤ照明器具のＬＥＤ電源回路の点灯制御回路部の動作を示すフローチャート。
【図９】実施の形態２に係るＬＥＤ照明器具の設置例を示す図。
【発明を実施するための形態】
【００１０】
以下、本発明の実施の形態について、図を用いて説明する。
【００１１】
実施の形態１．
図１（ａ）は、本実施の形態に係るＬＥＤ照明器具１の斜視図である。図２（ａ）は、ＬＥＤ照明器具１のＬＥＤ点灯パターン図である。
【００１２】
ＬＥＤ照明器具１には、十分な光源を確保するために複数個のＬＥＤ２〜１３が配置されている。
【００１３】
ＬＥＤ照明器具１の内部にはＬＥＤ２〜１３を点灯させるためのＬＥＤ電源装置が搭載されている。
【００１４】
通常時には、図１（ａ）のＬＥＤ照明器具１のＬＥＤ２〜１３が点灯し、単なるＬＥＤ照明として機能する。図１（ａ）では１つの例として、１つのＬＥＤ照明器具１に１２個のＬＥＤ２〜１３を配置しているが、器具の形状に合わせて、ＬＥＤを何個配置してもよい。また、図１（ａ）ではＬＥＤを１列に直線状に配置しているが、ＬＥＤを２列以上に配置したり、リング状に配置したり、その他の形状をなすように配置したりしてもよい。非常時等にＬＥＤ照明器具１が外部からの信号を受けたときには、図２（ａ）に示すようにＬＥＤ２〜１３はＬＥＤ２〜５→ＬＥＤ６〜９→ＬＥＤ１０〜１３→ＬＥＤ２〜５→・・・の順に順次４個ずつ点灯及び消灯する。ＬＥＤ２〜１３が順次４個ずつ点灯及び消灯することで、ＬＥＤ２〜１３から発せられる光があたかも走行しているように視認される。
【００１５】
図２（ｂ）は、本実施の形態の変形例に係るＬＥＤ照明器具１のＬＥＤ点灯パターン図である。
【００１６】
この変形例において、非常時等にＬＥＤ照明器具１が外部からの信号を受けたときには、ＬＥＤ２〜１３がＬＥＤ２→ＬＥＤ３→ＬＥＤ４→ＬＥＤ５→・・・→ＬＥＤ１３→ＬＥＤ２→・・・の順に順次１個ずつ点灯及び消灯する。ＬＥＤ２〜１３が順次１個ずつ点灯及び消灯することでも、ＬＥＤ２〜１３から発せられる光があたかも走行しているように視認される。
【００１７】
図２（ｃ）は、本実施の形態の変形例に係るＬＥＤ照明器具１のＬＥＤ点灯パターン図である。
【００１８】
この変形例において、非常時等にＬＥＤ照明器具１が外部からの信号を受けたときには、ＬＥＤ２〜１３のうち、３個のＬＥＤが常に（正確には、ＬＥＤ２〜４が点灯してからＬＥＤ１１が消灯するまでの間）点灯する。このような点灯パターンにすることで、光源を明るくできるのと同時に、光の走行をよりスムーズに見せることができる。なお、常に点灯するＬＥＤの数は３個に限るものではなく、器具に応じて最適な数を選定すればよい。
【００１９】
上記のように、本実施の形態において、点灯パターンは図２（ａ）に示したものに限るものではなく、器具の形状等によって、光の走行によって避難誘導できる最適な点灯パターンを選定すればよい。本実施の形態のように、ＬＥＤ２〜１３を複数個のグループに分けて、グループごとに順次点灯させる場合、点灯したときの光源が明るくなり、視認性が高い照明を提供できるのと同時に、個別にＬＥＤ２〜１３の点灯を制御するよりも簡単に照明制御を行うことができる。
【００２０】
図１（ａ）のＬＥＤ照明器具１は、天井に設置される。なお、ＬＥＤ照明器具１は、天井のみでなく床面、壁面に設置してもよい。床面等の低い位置に配置することで、火災等で煙が発生した場合には、天井に設置されるよりも視認性に優れたものとなる。
【００２１】
図１（ｂ）は、本実施の形態の変形例に係るＬＥＤ照明器具３５の斜視図である。
【００２２】
この変形例において、ＬＥＤ照明器具３５は、平面視で四角形状をなす。ＬＥＤ照明器具３５には、複数個のＬＥＤ３６が５行×４列に配置されている。例えば、通常時には、全てのＬＥＤ３６が点灯し、非常時等に外部からの信号を受けたときには、左の列から順に順次４個（１列）ずつのＬＥＤ３６が点灯及び消灯する。
【００２３】
図１（ｃ）は、本実施の形態の変形例に係るＬＥＤ照明器具３７の斜視図である。
【００２４】
この変形例において、ＬＥＤ照明器具３７は、平面視で円形状をなす。ＬＥＤ照明器具３７には、複数個のＬＥＤ３８が５行×４列に配置されている。例えば、通常時には、全てのＬＥＤ３８が点灯し、非常時等に外部からの信号を受けたときには、左の列から順に順次４個（１列）ずつのＬＥＤ３８が点灯及び消灯する。
【００２５】
上記のように、本実施の形態において、ＬＥＤ照明器具１は、四角形状や円形状のものに複数個のＬＥＤ３６，３８を配置したものであってもよい。四角形状や円形状にすることによって、本実施の形態でＬＥＤ２〜１３が１列であるのに対し、縦横ともに複数列になるため、非常時等に外部からの信号を受けたときには、縦横ともに光が走行しているような点灯パターンにすることができる。
【００２６】
図１（ｄ）は、本実施の形態の変形例に係る有機ＥＬ照明器具５８の斜視図である。
【００２７】
この変形例において、有機ＥＬ照明器具５８には、複数個の有機ＥＬ５９〜６２が配置されている。例えば、通常時には、有機ＥＬ５９〜６２が点灯し、非常時等に外部からの信号を受けたときには、有機ＥＬ５９〜６２が有機ＥＬ５９→有機ＥＬ６０→有機ＥＬ６１→有機ＥＬ６２の順に順次１個ずつ点灯及び消灯する。
【００２８】
上記のように、本実施の形態において、ＬＥＤ２〜１３の代わりに有機ＥＬ５９〜６２等を用いてもよい。光源の種類は、ＬＥＤ２〜１３、有機ＥＬ５９〜６２に限らない（例えば、無機ＥＬでもよい）が、即時点灯、点滅による寿命の短縮がないような光源が望ましい。
【００２９】
本実施の形態では、ＬＥＤ照明器具１が複数設置され、それぞれのＬＥＤ照明器具１が隣接するＬＥＤ照明器具１と連動して点灯及び消灯する。
【００３０】
図３（ａ）は、ＬＥＤ照明器具１の設置例を示す図である。図４は、この例に係るＬＥＤ照明器具１のＬＥＤ点灯パターン図である。
【００３１】
この例において、ＬＥＤ照明器具１ａ〜１ｈは、図１（ａ）に示した、ＬＥＤ２〜１３がライン状に配置された複数のＬＥＤ照明器具１である。ＬＥＤ照明器具１ａ〜１ｈは、通路の天井等に設置されている。例えば、ＬＥＤ照明器具１ｈが設置された箇所付近から避難する人を非常口４７に誘導する場合には、ＬＥＤ照明器具１ｈ→ＬＥＤ照明器具１ｇ→ＬＥＤ照明器具１ｅ→ＬＥＤ照明器具１ｆ→ＬＥＤ照明器具１ｈ→・・・の順番にＬＥＤ照明器具１のＬＥＤ２〜１３が順次点灯する。このとき、それぞれのＬＥＤ照明器具１は、図４に示すように、隣接するＬＥＤ照明器具１と連動して、連続的に光が走行しているようにＬＥＤ２〜１３を点灯させる。これにより、ＬＥＤ２〜１３の発する光は器具単体ではなく、隣接する器具を含めて、光が走行しているように見せて、避難する人を非常口４７まで光の走行により誘導することができる。なお、この例では、必須ではないが、それぞれのＬＥＤ照明器具１が一定の周期で点灯及び消灯を繰り返すため、繰り返しがない場合と比べて誘導の効果が高まる。
【００３２】
図３（ｂ）は、本実施の形態の変形例に係るＬＥＤ照明器具１の設置例を示す図である。
【００３３】
この変形例において、ＬＥＤ照明器具１ａ〜１ｈは、図３（ａ）の例と同様に、図１（ａ）に示した、ＬＥＤ２〜１３がライン状に配置された複数のＬＥＤ照明器具１である。ＬＥＤ照明器具１ｉは、図１（ｂ）に示した、複数のＬＥＤ３６が複数列に配置されたＬＥＤ照明器具３５である。ＬＥＤ照明器具１ｉも、通路の天井等に設置されている。例えば、ＬＥＤ照明器具１ｈが設置された箇所付近から避難する人を非常口４７に誘導する場合には、ＬＥＤ照明器具１ｈ→ＬＥＤ照明器具１ｇ→ＬＥＤ照明器具１ｉ→ＬＥＤ照明器具１ｅ→ＬＥＤ照明器具１ｆ→ＬＥＤ照明器具１ｈ→・・・の順番にＬＥＤ照明器具１のＬＥＤ２〜１３，３６が順次点灯する。このとき、ＬＥＤ照明器具１ｉでは、複数のＬＥＤ３６のうち、ＬＥＤ照明器具１ｇに近くＬＥＤ照明器具１ｅから遠いものほど先に点灯し、ＬＥＤ照明器具１ｇから遠くＬＥＤ照明器具１ｅに近いものほど後に点灯するようにする。このように、ＬＥＤ照明器具１ｉは、十字路で光が右折するようにＬＥＤ３６を点灯させる。なお、全てのＬＥＤ３６を点灯させる必要はない。ＬＥＤ照明器具１ｉ以外のＬＥＤ照明器具１は、図３（ａ）の例と略同様に、隣接するＬＥＤ照明器具１と連動して、連続的に光が走行しているようにＬＥＤ２〜１３を点灯させる。これにより、ＬＥＤ２〜１３，３６の発する光は器具単体ではなく、隣接する器具を含めて、光が走行しているように見せて、避難する人を非常口４７まで光の走行により誘導することができる。
【００３４】
図５（ａ）は、ＬＥＤ照明器具１の構成を示す図である。このうち、平面図は、天井に設置するＬＥＤ照明器具１の底面を見た図である。側面図は、左側がＬＥＤ照明器具１の内部構造を長手方向の側面から見た図、右側がＬＥＤ照明器具１を短手方向の側面から見た図である。
【００３５】
ＬＥＤ照明器具１は、ＬＥＤ２〜１３、ＬＥＤ２〜１３の固定と電気的接続をする基板１０２を備える。ＬＥＤ２〜１３と基板１０２とでＬＥＤモジュールが構成されている。ＬＥＤ照明器具１は、さらに、ＬＥＤ２〜１３を点灯させるためのＬＥＤ電源回路１０３、ＬＥＤ電源回路１０３とＬＥＤモジュールを接続するＬＥＤモジュール出力配線１０４、外部の商用電源からＬＥＤ電源回路１０３に電力を供給するための電源線１０５、ＬＥＤ電源回路１０３に外部信号を入力するための外部信号線１０６、ＬＥＤ２〜１３間を接続しているＬＥＤ配線１０７を備える。ＬＥＤ電源回路１０３に電力が供給されると、ＬＥＤモジュール出力配線１０４より、所定の電圧もしくは電流が流れることでＬＥＤ２〜１３が点灯する。本実施の形態では、図２（ａ）や図４に示した点灯パターンを実現するため、ＬＥＤ電源回路１０３から４個のＬＥＤごとにＬＥＤモジュール出力配線１０４が接続されている。これにより、定常時は１２個全てのＬＥＤ２〜１３が点灯しているが、外部信号線１０６より非常時であることを示す外部信号が入力された場合には、１２個のＬＥＤ２〜１３のうち、ＬＥＤモジュール出力配線１０４ごとに接続された任意の４個のＬＥＤを点灯させることができる。なお、定常時においても省エネを目的として、非常時とは異なる外部信号を入力し、この外部信号によりＬＥＤ２〜１３のいくつかを消灯させるようにしてもよい。
【００３６】
ＬＥＤ２〜１３の点灯を制御する外部信号線１０６の外部信号としては、直流電圧信号やＰＷＭ（パルス幅変調）信号を用いる。例えば外部信号線１０６の外部信号は、ＬＥＤ電源回路１０３を構成している電子部品であるマイコンで処理する。例えば外部信号線１０６の外部信号として、０Ｖ（無電圧）の信号が印加された場合、ＬＥＤ電源回路１０３のマイコンがＬＥＤ２〜１３を点灯させる。一方、外部信号線１０６の外部信号として、非常時を知らせる数Ｖの電圧の信号が印加された場合、ＬＥＤ電源回路１０３のマイコンが前述した点灯パターンでＬＥＤ２〜１３を点滅させる。このようにＬＥＤ電源回路１０３のマイコンを動作させることで、万が一非常時に外部信号線１０６に信号を入力している外部信号装置（後述する制御装置）が動作しなくなった場合、少なくとも全てのＬＥＤ２〜１３が点灯するため、照明としての機能は果たすことができる。
【００３７】
ＬＥＤ照明器具１内には、さらに、蓄電池１０１が内蔵されている。これにより、ＬＥＤ照明器具１は、商用電源からの電力の供給が妨げられた場合でも、蓄電池１０１を電源として駆動することができる。非常時には、火災のみでなく、地震等によって停電となる場合もある。ＬＥＤ２〜１３による光走行は非常時に使用するものであるから、ＬＥＤ照明器具１は、商用電源から電力の供給が妨げられた場合にも動作できることが望ましい。したがって、ＬＥＤ照明器具１が蓄電池１０１を備えることで、より実用性の高い照明器具を提供することができる。
【００３８】
図６（ａ）は、光走行式避難誘導システム２００の構成を示すブロック図である。
【００３９】
光走行式避難誘導システム２００は、複数の煙感知器２０２と、これらの煙感知器２０２が接続された自動火災報知設備受信機２０３を備える。また、光走行式避難誘導システム２００は、自動火災報知設備受信機２０３に接続された避難誘導用ＬＥＤ照明器具制御装置２０７と、複数のＬＥＤ照明器具１を備える。これらのＬＥＤ照明器具１のうち、少なくとも１つのＬＥＤ照明器具１は避難誘導用ＬＥＤ照明器具制御装置２０７に接続され、それ以外は隣接する別のＬＥＤ照明器具１に接続されている。
【００４０】
図３（ａ）の例を用いると、避難経路の始点にあるＬＥＤ照明器具１ａ，１ｃ，１ｈは、避難誘導用ＬＥＤ照明器具制御装置２０７に接続される。そして、他のＬＥＤ照明器具１は、避難経路の終点（非常口４７）より１つ始点に近い側のＬＥＤ照明器具１に接続される。具体的には、ＬＥＤ照明器具１ｂがＬＥＤ照明器具１ａに、ＬＥＤ照明器具１ｄがＬＥＤ照明器具１ｃに、ＬＥＤ照明器具１ｇがＬＥＤ照明器具１ｈに接続される。また、ＬＥＤ照明器具１ｅがＬＥＤ照明器具１ｂ，１ｄ，１ｇに接続され、ＬＥＤ照明器具１ｆがＬＥＤ照明器具１ｅに接続される。
【００４１】
火災発生によりある煙感知器２０２によって煙が感知されると、その感知信号が自動火災報知設備受信機２０３に入力される。自動火災報知設備受信機２０３は、この感知信号を受信すると、これに応じて感知箇所を特定する火災信号を避難誘導用ＬＥＤ照明器具制御装置２０７に対して出力する。避難誘導用ＬＥＤ照明器具制御装置２０７は自動火災報知設備受信機２０３からの火災信号に適合した避難誘導灯の通路を決定し、その決定された通路に設置されているＬＥＤ照明器具１に対して制御信号（点滅信号）を出力する。これにより、決定された通路にあるＬＥＤ照明器具１が制御信号（点滅信号）に基づいて順次点滅する。図６（ａ）では１つのＬＥＤ照明器具１に入力された制御信号（点滅信号）でそのＬＥＤ照明器具１が点灯した後、そのＬＥＤ照明器具１から次のＬＥＤ照明器具１へ制御信号（点滅信号）が入力される構成となっている。
【００４２】
なお、光走行式避難誘導システム２００は、本実施の形態に係る照明システムの例であり、ＬＥＤ照明器具１と同様の複数の照明器具と、避難誘導用ＬＥＤ照明器具制御装置２０７と同様の制御装置とを備えるものであれば、上記以外の構成の照明システムに置き換えても構わない。このとき、それぞれの照明器具には、例えば図１（ａ）に示したように、光を発する複数の発光素子（例えばＬＥＤ２〜１３）が配列されている。また、上記複数の照明器具は、例えば図３（ａ）に示したように、所定の順番（例えばＬＥＤ照明器具１ｈ→ＬＥＤ照明器具１ｇ→ＬＥＤ照明器具１ｅ→ＬＥＤ照明器具１ｆの順）に配置されている。上記制御装置は、例えば図４に示したように、上記複数の照明器具を上記所定の順番に点灯及び消灯させる。上記制御装置は、例えば図４に示したように、１つの照明器具を点灯させる場合、その照明器具に配列された複数の発光素子を、直前に点灯させた照明器具に近い順に所定の数（例えば４個）ずつ点灯させる（例えばＬＥＤ照明器具１ｇにてＬＥＤ２〜５→ＬＥＤ６〜９→ＬＥＤ１０〜１３の順番にＬＥＤを点灯させる）。
【００４３】
本実施の形態において、上記制御装置は、上記複数の照明器具のうち、上記所定の順番で１番目の照明器具に対し、当該１番目の照明器具に配列された複数の発光素子を、上記所定の順番で２番目の照明器具から遠い順に上記所定の数ずつ点灯及び消灯させるように指令する制御信号を送信する（例えばＬＥＤ照明器具１ｈに対してＬＥＤ２〜５→ＬＥＤ６〜９→ＬＥＤ１０〜１３の順番にＬＥＤを点灯させる制御信号を送信する）。上記複数の照明器具は、制御信号を受信した場合、それぞれの照明器具に配列された複数の発光素子を、直前に点灯した照明器具に近い順に上記所定の数ずつ点灯及び消灯させた後、上記所定の順番で次の照明器具に対し、制御信号を送信する（例えばＬＥＤ照明器具１ｈがＬＥＤ照明器具１ｇに対してＬＥＤ２〜５→ＬＥＤ６〜９→ＬＥＤ１０〜１３の順番にＬＥＤを点灯させる制御信号を送信する）。上記所定の順番で最後の照明器具は、制御信号を受信した場合、当該最後の照明器具に配列された複数の発光素子を、直前に点灯した照明器具に近い順に上記所定の数ずつ点灯及び消灯させた後、上記所定の順番で１番目の照明器具に対し、上記制御信号を送信してもよい（例えばＬＥＤ照明器具１ｆがＬＥＤ照明器具１ｈに対してＬＥＤ２〜５→ＬＥＤ６〜９→ＬＥＤ１０〜１３の順番にＬＥＤを点灯させる制御信号を送信してもよい）。
【００４４】
また、本実施の形態において、例えば図２（ｃ）に示したように、上記複数の照明器具が上記所定の数（例えば１個）の発光素子を点灯させてから消灯させるまでの時間は、上記複数の照明器具が上記所定の数の発光素子を点灯させてから隣の前記所定の数の発光素子を点灯させるまでの時間より長くてもよい。具体的には、例えば図２（ｃ）に示したように、前者の時間が、後者の時間の整数倍（例えば３倍）であってもよい。
【００４５】
図６（ｂ）は、本実施の形態の変形例に係る光走行式避難誘導システム２００の構成図である。
【００４６】
この変形例では、避難誘導用ＬＥＤ照明器具制御装置２０７が各々のＬＥＤ照明器具１に接続されており、避難誘導用ＬＥＤ照明器具制御装置２０７から、予め決められた順番及びタイミングで次に点滅（順次点灯）させるＬＥＤ照明器具１に制御信号（点滅信号）が入力される。
【００４７】
図７は、ＬＥＤ電源回路１０３の構成を示すブロック図である。
【００４８】
ＬＥＤ電源回路１０３は、点滅信号受信部２０８、点滅信号送信部２０９、点灯制御回路部２１０、全波整流回路部２１１、平滑回路部２１２、点灯回路部２１３〜２１５を備える。
【００４９】
常用時は電源２０５から入力された電源電圧が全波整流回路部２１１及び平滑回路部２１２で直流電圧に変換され、点灯回路部２１３〜２１５に印加される。これにより、点灯回路部２１３〜２１５に接続されたＬＥＤ２〜１３が点灯する。非常時に避難誘導用ＬＥＤ照明器具制御装置２０７より制御信号（点滅信号）が出力されると、点滅信号受信部２０８に制御信号（点滅信号）が入力される。点滅信号受信部２０８は、制御信号（点滅信号）を点灯制御回路部２１０に入力する。点灯制御回路部２１０は、制御信号（点滅信号）が入力されると、点灯回路部２１３→点灯回路部２１４→点灯回路部２１５の順にＬＥＤを順次点灯させるように制御する。点灯回路部２１５まで点灯が完了した後、点滅信号送信部２０９は、次に点滅（順次点灯）させるＬＥＤ照明器具１へ制御信号（点滅信号）を出力する。制御信号（点滅信号）が入力された次のＬＥＤ照明器具１のＬＥＤ電源回路１０３も同様の動作を行う。これにより、隣接する（異なる）ＬＥＤ照明器具１のＬＥＤ２〜１３を順次点灯させて、あたかも光が走行しているように見せることができる。
【００５０】
図３（ａ）の例を用いると、非常時には、例えばＬＥＤ照明器具１ｈのＬＥＤ電源回路１０３が、点滅信号受信部２０８で避難誘導用ＬＥＤ照明器具制御装置２０７からの制御信号（点滅信号）を受信する。そして、点灯制御回路部２１０でＬＥＤ２〜１３を４個ずつ順番に点灯及び消灯させた後、点滅信号送信部２０９でＬＥＤ照明器具１ｇに制御信号（点滅信号）を送信する。ＬＥＤ照明器具１ｇのＬＥＤ電源回路１０３は、点滅信号受信部２０８でＬＥＤ照明器具１ｈからの制御信号（点滅信号）を受信する。そして、点灯制御回路部２１０でＬＥＤ２〜１３を４個ずつ順番に点灯及び消灯させた後、点滅信号送信部２０９でＬＥＤ照明器具１ｅに制御信号（点滅信号）を送信する。ＬＥＤ照明器具１ｅのＬＥＤ電源回路１０３は、点滅信号受信部２０８でＬＥＤ照明器具１ｇからの制御信号（点滅信号）を受信する。そして、点灯制御回路部２１０でＬＥＤ２〜１３を４個ずつ順番に点灯及び消灯させた後、点滅信号送信部２０９でＬＥＤ照明器具１ｆに制御信号（点滅信号）を送信する。ＬＥＤ照明器具１ｆのＬＥＤ電源回路１０３は、点滅信号受信部２０８でＬＥＤ照明器具１ｅからの制御信号（点滅信号）を受信する。そして、点灯制御回路部２１０でＬＥＤ２〜１３を４個ずつ順番に点灯及び消灯させる。この後、ＬＥＤ照明器具１ｆのＬＥＤ電源回路１０３は、点滅信号送信部２０９でＬＥＤ照明器具１ｈに制御信号（点滅信号）を送信してもよいし（ＬＥＤ照明器具１ｈからＬＥＤ２〜１３の点灯を繰り返す）、避難誘導用ＬＥＤ照明器具制御装置２０７に送信してもよいし（避難誘導用ＬＥＤ照明器具制御装置２０７にＬＥＤ２〜１３の点灯及び消灯が終了したことを通知して次の制御を任せる）、何もしなくてもよい。
【００５１】
図８は、点灯制御回路部２１０の動作を示すフローチャートである。
【００５２】
通常時、点灯制御回路部２１０は、点灯回路部２１３〜２１５に対し、点灯信号を出力する（Ｓ１１）。点灯回路部２１３〜２１５は、この点灯信号に基づき、ＬＥＤ２〜１３を点灯させる。なお、点灯制御回路部２１０は、避難誘導用ＬＥＤ照明器具制御装置２０７又はその他の制御装置から、ＬＥＤ２〜１３を点灯させるか否かを指令する信号を受信し、この信号に基づき、点灯回路部２１３〜２１５に対し、点灯信号及び消灯信号のいずれかを選択的に出力してもよい。この場合、点灯回路部２１３〜２１５は、点灯制御回路部２１０から点灯信号が出力されれば、ＬＥＤ２〜１３を点灯させ、点灯制御回路部２１０から消灯信号が出力されれば、ＬＥＤ２〜１３を消灯させる。
【００５３】
点灯制御回路部２１０は、点滅信号受信部２０８より信号を受信すると（Ｓ１２）、その信号が制御信号（点滅信号）でなければ、Ｓ１１に戻る。その信号が制御信号（点滅信号）であれば、点灯回路部２１３に対し、点灯信号を出力する（Ｓ１３）。このとき、点灯制御回路部２１０は、点灯回路部２１４，２１５に対し、消灯信号を出力する（点灯信号の出力を停止する）。これにより、点灯回路部２１３がＬＥＤ２〜５を点灯させ、点灯回路部２１４，２１５がＬＥＤ６〜１３を消灯させた状態となる。
【００５４】
点灯制御回路部２１０は、０．５秒経過すると、点灯回路部２１３に対し、消灯信号を出力する（点灯信号の出力を停止する）（Ｓ１４）。そして、点灯回路部２１４に対し、点灯信号を出力する（Ｓ１５）。これにより、点灯回路部２１４がＬＥＤ６〜９を点灯させ、点灯回路部２１３，２１５がＬＥＤ２〜５，１０〜１３を消灯させた状態となる。
【００５５】
点灯制御回路部２１０は、０．５秒経過すると、点灯回路部２１４に対し、消灯信号を出力する（点灯信号の出力を停止する）（Ｓ１６）。そして、点灯回路部２１５に対し、点灯信号を出力する（Ｓ１７）。これにより、点灯回路部２１５がＬＥＤ１０〜１３を点灯させ、点灯回路部２１３，２１４がＬＥＤ２〜９を消灯させた状態となる。
【００５６】
点灯制御回路部２１０は、０．５秒経過すると、点灯回路部２１５に対し、消灯信号を出力する（点灯信号の出力を停止する）（Ｓ１８）。そして、点滅信号送信部２０９に対し、制御信号（点滅信号）を出力する（Ｓ１９）。点滅信号送信部２０９は、この制御信号（点滅信号）を次に点滅（順次点灯）させるＬＥＤ照明器具１に対して出力する。
【００５７】
なお、ここでは、点灯制御回路部２１０が点灯回路部２１３〜２１５のそれぞれにＬＥＤ２〜１３を点灯させるタイミングを０．５秒間隔で設定しているが、このタイミングは０．５秒間隔に限るものではなく、点灯回路部の数、ＬＥＤの数等に応じて適宜設定すればよい。
【００５８】
ここで、図６（ｂ）に示した変形例の構成を採用する場合、ＬＥＤ電源回路１０３の基本的な動作は上記と同様であるが、ＬＥＤ照明器具１を点灯させる順序・タイミングは避難誘導用ＬＥＤ照明器具制御装置２０７でコントロールされるので、ＬＥＤ電源回路１０３が次に点滅（順次点灯）させるＬＥＤ照明器具１に制御信号（点滅信号）を送る必要がない。そのため、図７において、点滅信号送信部２０９は不要となる。また、図８において、Ｓ１９の処理は不要となる。
【００５９】
以上のように、本実施の形態では、ＬＥＤを光源とした照明器具（ＬＥＤ照明器具１）に、非常時に光走行式の避難誘導装置として動作する機能を付加することで、実用性が高く、低コストで設置可能な避難誘導のためのシステムを提供することができる。従来、照明の光源としては蛍光灯が主流であったが、近年ＬＥＤの発光効率が改善されたことをきっかけに、照明の光源としてＬＥＤが急速に普及しつつある。本実施の形態によれば、そのようなＬＥＤを用いた照明器具で光走行による避難誘導を行うことができる。
【００６０】
従来、照明の光源として主流であった蛍光灯の場合には、蛍光灯を点灯させるまで、「（フィラメント）予熱→始動電圧印加→点灯」というモードで点灯に至るため、点灯させようとしてから点灯するまでに約１〜２秒の時間を要する。また、蛍光灯には、点滅させることでフィラメントにストレスが加わり、寿命が短くなるという欠点があり、光走行のような決められたタイミングで点灯を繰り返すということに対しては不適である。これに対し、本実施の形態のように、ＬＥＤを用いた照明器具では即時点灯が可能であり、また、即時点灯、点滅による寿命低下がないため、省エネ効果や実用性の高い避難誘導のシステムを提供することができる。なお、本実施の形態において、照明器具に用いる光源はＬＥＤに限らないが、前述したように、即時点灯、点滅による寿命低下がない光源が適している。
【００６１】
実施の形態２．
本実施の形態について、主に実施の形態１との差異を説明する。
【００６２】
図９は、本実施の形態に係るＬＥＤ照明器具１の設置例を示す図である。
【００６３】
この例において、ＬＥＤ照明器具１ａ〜１ｔは、図１（ａ）に示した、ＬＥＤ２〜１３がライン状に配置された複数のＬＥＤ照明器具１である。ＬＥＤ照明器具１ａ〜１ｔは、フロア（特に、大規模建築等の広いエリア）の天井等に設置されている。例えば、ＬＥＤ照明器具１ｈが設置された箇所付近から避難する人を非常口４７に誘導する場合には、まず、ＬＥＤ照明器具１ｈ→ＬＥＤ照明器具１ｇ→ＬＥＤ照明器具１ｅ→ＬＥＤ照明器具１ｆの順番にＬＥＤ照明器具１のＬＥＤ２〜１３が順次点灯する。このとき、ＬＥＤ照明器具１ｅ〜１ｈのそれぞれは、図４に示すように、隣接するＬＥＤ照明器具１と連動して、連続的に光が走行しているようにＬＥＤ２〜１３を点灯させる。次に、ＬＥＤ照明器具１ｊ→ＬＥＤ照明器具１ｎ→ＬＥＤ照明器具１ｒの順番にＬＥＤ照明器具１のＬＥＤ２〜１３を点灯させることになるが、ＬＥＤ２〜１３の配置上、上記と同様な点灯をさせることはできないため、ＬＥＤ照明器具１ｊ，１ｎ，１ｒについてはＬＥＤ２〜１３のいずれか１個もしくは複数個を器具単位で順次点灯させる。これにより、ＬＥＤ２〜１３の発する光は器具単体ではなく、隣接する器具を含めて、光が走行しているように見せて、避難する人を非常口４７まで光の走行により誘導することができる。なお、この例でも、図３（ａ）の例と同様に、それぞれのＬＥＤ照明器具１が一定の周期で点灯及び消灯を繰り返すようにすることで、繰り返しがない場合と比べて誘導の効果が高まる。
【００６４】
図５（ｂ）は、ＬＥＤ照明器具１の構成を示す図である。
【００６５】
図５（ｂ）に示した構成は、図９の例におけるＬＥＤ照明器具１ｊ，１ｎ，１ｒのように、器具ごとにＬＥＤ２〜１３の一部又は全てを一度に点灯させて連動させる場合のものである。この構成は、図５（ａ）に示した構成と略同じであるが、ＬＥＤ電源回路１０３と基板１０２を接続するＬＥＤモジュール出力配線１０４が１組（２本）となっている。この構成では、ＬＥＤ２〜１３を個別に又はグループごとに点灯させる必要がないため、ＬＥＤモジュール出力配線１０４を１組とすることで簡易な構成を実現している。
【００６６】
このように、本実施の形態では、１台のＬＥＤ照明器具１のＬＥＤ２〜１３全てを同じグループとすることで、ＬＥＤ２〜１３の制御を簡単に行うことができる。
【００６７】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００６８】
１，１ａ〜１ｔ，３５，３７  ＬＥＤ照明器具、２〜１３，３６，３８  ＬＥＤ、４７  非常口、５８  有機ＥＬ照明器具、５９〜６２  有機ＥＬ、１０１  蓄電池、１０２  基板、１０３  ＬＥＤ電源回路、１０４  ＬＥＤモジュール出力配線、１０５  電源線、１０６  外部信号線、１０７  ＬＥＤ配線、２００  光走行式避難誘導システム、２０２  煙感知器、２０３  自動火災報知設備受信機、２０５  電源、２０７  避難誘導用ＬＥＤ照明器具制御装置、２０８  点滅信号受信部、２０９  点滅信号送信部、２１０  点灯制御回路部、２１１  全波整流回路部、２１２  平滑回路部、２１３〜２１５  点灯回路部。
【図１】
2011258491.tif 000003
【図２】
2011258491.tif 000004
【図３】
2011258491.tif 000005
【図４】
2011258491.tif 000006
【図５】
2011258491.tif 000007
【図６】
2011258491.tif 000008
【図７】
2011258491.tif 000009
【図８】
2011258491.tif 000010
【図９】
2011258491.tif 000011